(57)【特許請求の範囲】
【請求項１】
少なくとも表面部材と中間部材と裏面部材とを備え、
前記中間部材は枠部を有し、前記枠部の外端および／または内端に異なる装飾材を交換可能に形成された複数の切欠き部を備え、
前記中間部材の前記切欠き部は組み立て時に前記表面部材と前記裏面部材とにより挟持され、
前記複数の切欠き部は形態が同一で、夫々爪部を備えることを特徴とする物品。
【請求項２】
前記表面部材は前記装飾材を視認可能な透明又は半透明材料であることを特徴とする請求項１に記載の物品。
【請求項３】
前記表面部材、前記中間部材、及び前記裏面部材は前後方向に重なる孔部を備え、
前記孔部に鍵部材をはめ込むことにより、前記表面部材と前記中間部材と前記裏面部材とが固定されることを特徴とする請求項１または請求項２に記載の物品。
【請求項４】
前記中間部材を前後に重ねて複数枚備え、
前記中間部材の少なくとも一つに、前記切欠き部が設けられることを特徴とする請求項１から請求項３に記載の物品。
【請求項５】
前記枠部の内側には前記枠部から延びる装飾リブが設けられ、
前記装飾リブは前記切欠き部を備えることを特徴とする請求項１から請求項４の何れか一項に記載の物品。
【請求項６】
複数枚のプレートを備え、何れかのプレートに、請求項１から請求項５の何れか一項に記載の表面部材と中間部材と裏面部材と複数の装飾材と、を取外し可能に備えることを特徴とするプレートセット。
【発明の詳細な説明】
【技術分野】
【０００１】
本発明は、物品およびプレートセットに関する。
【背景技術】
【０００２】
従来、例えば、キーホルダー等のアクセサリや写真立て、壁掛け用の鏡等、その内部に例えば写真やキャラクターが表された部材、鏡等の装飾材を収納できる物品がある。
この種の物品には、収納したい写真等の装飾材を、裏面部材と表面部材とで挟むことにより固定し、収納可能とするものが知られている（例えば、特許文献１参照）。
【先行技術文献】
【特許文献】
【０００３】
【特許文献１】特開平１０−２３４５５８号公報
【発明の概要】
【発明が解決しようとする課題】
【０００４】
しかしながら、特許文献１では、物品に、例えば写真やキャラクターが表された部材、鏡等の装飾材を収納するに際し、これら材を裏面部材と表面部材とで挟む場合、裏面部材と表面部材とで固定可能な予め決められた大きさの装飾材のみが収納可能とされていた。この場合、装飾材のサイズ変更や材質等の内容変更などに伴う適宜の装飾材交換に柔軟に対応することができず、様々な装飾材を収納するためには、未だ改善の余地があった。
本発明は、上述した事情に鑑みてなされたものであり、装飾材の交換に柔軟に対応することができる物品およびプレートセットを提供することを目的とする。
【課題を解決するための手段】
【０００５】
本発明は、少なくとも表面部材と中間部材と裏面部材とを備え、前記中間部材は枠部を有し、前記枠部の外端および／または内端に異なる装飾材を交換可能に形成された複数の切欠き部を備え、前記中間部材の前記切欠き部は組み立て時に前記表面部材と前記裏面部材とにより挟持されることを特徴とする。
本発明は、複数枚のプレートを備えるプレートセットであって、何れかのプレートに、上記の表面部材と中間部材と裏面部材と複数の装飾材と、を取外し可能に備えることを特徴とするプレートセットである。
【発明の効果】
【０００６】
本発明によれば、切欠き部に異なる装飾材を付け替えることにより、デザイン性に優れる、装飾材の交換に柔軟に対応できる物品が提供される。
【図面の簡単な説明】
【０００７】
【図１】本発明の第１実施形態に係るキーホルダーの正面図である。
【図２】同キーホルダーの側面図である。
【図３】第１プレートの平面図である。
【図４】第２プレートの平面図である。
【図５】第３プレートの平面図である。
【図６】本発明の第２実施形態に係る額縁の正面図である。
【図７】本発明の第３実施形態に係る鏡の正面図である。
【図８】本発明の第４実施形態に係るパスケースの正面図である。
【図９】切欠き部の他の変形例を示す図である。
【図１０】切欠き部の他の変形例を示す図である。
【図１１】切欠き部の他の変形例を示す図である。
【図１２】切欠き部の他の変形例を示す図である。
【発明を実施するための形態】
【０００８】
以下、図面を参照して本発明の実施形態について説明する。
＜第１実施形態＞
図１は、第１実施形態に係るキーホルダー（物品）１００の正面図、図２は、同キーホルダー１００の側面図である。本明細書では、図１に示すキーホルダー１００の正面視を基準として、上下左右、背面側を後、手前側を前と定義する。
キーホルダー１００は、表面部材１０と、中間部材３０と、裏面部材５０とを備え、表面部材１０及び裏面部材５０の間に、中間部材３０を挟んで固定することにより組み立てられる。中間部材３０には、夫々形態が異なる第１装飾材Ａ、第２装飾材Ｂ、第３装飾材Ｃが取り付けられる。表面部材１０、中間部材３０、裏面部材５０、第１装飾材Ａ、第２装飾材Ｂ、第３装飾材Ｃの厚さは夫々同一である。
【０００９】
第１装飾材Ａ、第２装飾材Ｂ、第３装飾材Ｃなどの装飾材には、例えば、様々キャラクターを付すことができるし、各装飾材の形状をキャラクターの形状とするなど、任意に変更できる。装飾材には、装飾したい製品を任意に選択できる。
【００１０】
図３は、第１プレート１の平面図である。第１プレート１は、略正方形の平板状の表面部材１０と、雲形の第１装飾材Ａ（装飾材）と、扇形の第２装飾材Ｂ（装飾材）と、を取外し可能に備える。
図４は、第２プレート２の平面図である。第２プレート２は、枠形の中間部材３０と、複数の円形の第３装飾材Ｃ（装飾材）と、鍵部材４０と、環状部材４５と、を取外し可能に備える。
図５は、第３プレート３の平面図である。第３プレート３は、略正方形の平板状の裏面部材５０と、複数の第３装飾材Ｃと、を取外し可能に備える。裏面部材５０は表面部材１０と同一形態である。
キーホルダー１００は、第１プレート１、第２プレート２、第３プレート３を３枚組みとして、これを１セットとして販売し、購入者は各プレートから必要な部材、装飾材を取外して組み立てる。第１実施形態によれば、第１プレート１、第２プレート２及び第３プレート３は、プレートセットを構成する。
【００１１】
第１プレート１、第２プレート２及び第３プレート３は、樹脂（アクリル樹脂）により形成され、同一の厚さでもって、略面一に形成される。
第１プレート１及び第２プレート２は、透明樹脂である。第３プレート３は、反射鏡としての機能を備える。
【００１２】
図３に示すように、表面部材１０の上側の一辺には、チェーン挿通部１３が形成されている。図４に示すように、中間部材３０の上側の一辺には、チェーン挿通部３３が形成されている。図５に示すように、裏面部材５０の上側の一辺には、チェーン挿通部５３が形成されている。チェーン挿通部１３、３３、５３は夫々同一形態であり、各チェーン挿通部１３、３３、５３には、チェーン（図１参照。）８０を通すためのチェーン孔１１、３１、５１が形成されている。
【００１３】
図４に示すように、中間部材３０は、略正方形の枠部３２を備えている。
略正方形の枠部３２は、外周縁側の外端３２Ａ、及び、内周縁側の内端３２Ｂに、複数の切欠き部３６を備えている。外端３２Ａには切欠き部３６Ａを備え、内端３２Ｂには切欠き部３６Ｂを備えている。
枠部３２の左右辺の外端３２Ａには２つの切欠き部３６Ａが設けられ、左右辺の内端３２Ｂには２つの切欠き部３６Ａの間に対応して１つの切欠き部３６Ｂが設けられている。２つの切欠き部３６Ａの間隔は大きくとれ、切欠き部３６Ａに大型装飾材を取付易くなり、枠部３２の内側にも装飾材を取付できる。
【００１４】
なお、左右辺の内端３２Ｂに２つの切欠き部３６Ｂを設け、２つの切欠き部３６Ｂの間に対応して左右辺の外端３２Ａに１つの切欠き部３６Ａを設けてもよい。外端３２Ａ及び内端３２Ｂに形成する切欠き部３６の位置は適宜に変更できることは勿論である。外端３２Ａ及び内端３２Ｂに形成する切欠き部３６の間隔は、取付ける装飾材に応じて適宜に変更することができる。
【００１５】
切欠き部３６の形態はすべて同一形態である。切欠き部３６は両側の端部３４から切欠き部３６の内側に向けて突出する爪部３７を備える。爪部３７が突出する長さは、適宜に変更できる。爪部３７は、必ずしも切欠き部３６の両側の端部３４から形成されていなくとも、どちらかの端部３４から形成されていればよい。切欠き部３６は、爪部３７の内側に、矩形状の嵌合部Ｓ１を備える。
【００１６】
切欠き部３６の嵌合部Ｓ１には、第１装飾材Ａ、第２装飾材Ｂ又は第３装飾材Ｃが取付可能である。第１装飾材Ａは、図３に示すように、雲形の縦長形状６３を備え、縦長形状６３に、嵌合部Ｓ１と同一形態の取付け部６１が形成される。第１装飾材Ａは、どの切欠き部３６にも取付可能であり、装飾材の交換に柔軟に対応できる。
また、第２装飾材Ｂは、扇形６４を備え、扇形６４の２辺に、それぞれ嵌合部Ｓ１と同一形態の取付け部６１が形成される。第２装飾材Ｂは、扇形６４の中心Оから取付け部６１までの長さＸが、図４に示す枠部３２の内側角部から切欠き部３６までの長さＸと等しく形成される。第２装飾材Ｂの２つの取付け部６１は、枠部３２の内側の２つの切欠き部３６に取付けられる。第２装飾材Ｂは、２箇所で固定することにより枠部３２に安定的に取付けることが可能である。
【００１７】
第３装飾材Ｃは、円形状６２を備え、円形状６２に、嵌合部Ｓ１と同一形態の取付け部６１が形成される。第３装飾材Ｃは、どの切欠き部３６にも取付可能であり、装飾材の交換に柔軟に対応できる。嵌合部Ｓ１は矩形状に限定されない。デザイン性を考慮する場合など、嵌合部Ｓ１を円形としたり、楕円形としたり、星型としたりなど、略矩形以外の他の形状としてもよい。
【００１８】
嵌合部Ｓ１の奥側端面３８は、嵌合部Ｓ１の奥側に位置する枠部３２の端面３９と略平行に形成される。
すなわち、嵌合部Ｓ１の奥側端面３８は、枠部３２の内周側の端面３９Ａと略平行に形成される。また、枠部３２の内端３２Ｂに形成される嵌合部Ｓ１の奥側端面３８は、枠部３２の外周側の端面３９Ｂと略平行に形成される。
これにより、例えば、嵌合部Ｓ１を円形とした場合と比べ、切欠き部３６に各装飾材を安定して取付け可能となるとともに、枠部３２の幅Ｗ１を狭くできる。そのため、限られた枠部３２の大きさの範囲内において、枠部３２の内側に形成される装飾空間Ｓ２を広くとることができる。
【００１９】
図３に示すように、表面部材１０の右下部には、横長の幅Ｗ５の前面下部孔１５（孔部）が形成されている。図４に示すように、中間部材３０の右下部には、表面部材１０の前面下部孔１５よりも幅が長い、横長の幅Ｗ６の中間下部孔３５（孔部）が形成されている。図５に示すように、裏面部材５０の右下部には、表面部材１０の前面下部孔１５と同一形態の、横長の幅Ｗ５の背面下部孔５５（孔部）が形成されている。表面部材１０、中間部材３０、裏面部材５０が組み立てられると、前面下部孔１５、中間下部孔３５及び前面下部孔１５に、鍵部材４０（図４参照。）がはめ込まれる。鍵部材４０は、図４に示すように、本体４１と凸部４３とを備える。本体４１の左右方向の長さＶは、前面下部孔１５の幅Ｗ５及び背面下部孔５５の幅Ｗ５と略等しく形成されている。本体４１の左右方向の長さＶと凸部４３の左右方向の長さの和Ｙは、中間下部孔３５の幅Ｗ６と略等しく形成されている。
【００２０】
環状部材４５は、図４に示すように、中央部に固定孔４６を備える。固定孔４６の奥行Ｚは、表面部材１０と中間部材３０と裏面部材５０とを重ね合わせた場合の３枚分の奥行と略等しく形成される。固定孔４６の幅Ｗ３は、チェーン挿通部１３、３３、５３の幅Ｗ４（図３〜図５参照。）と略等しく形成される。
【００２１】
キーホルダー１００を組み立てるときには、まず、裏面部材５０に中間部材３０を重ねる。次いで、任意の切欠き部３６に、第１装飾材Ａ、第２装飾材Ｂ、第３装飾材Ｃを取り付ける。次いで、背面下部孔５５（孔部）及び中間下部孔３５（孔部）に、鍵部材４０をはめ込む。次に、表面部材１０を中間部材３０に重ねる。鍵部材４０の本体４１は、背面下部孔５５（孔部）、中間下部孔３５（孔部）、表面部材１０の前面下部孔１５（孔部）に嵌り、鍵部材４０の凸部４３は、中間下部孔３５（孔部）に嵌る。
そして、チェーン挿通部１３、３３、５３に、環状部材４５の固定孔４６はめ込み、表面部材１０、中間部材３０及び裏面部材５０を固定する。
さらに、チェーン孔１１、３１、５１にチェーン８０を通すことにより、キーホルダー１００が完成する。
【００２２】
図４に示すように、枠部３２の上側の一辺において、切欠き部３６Ｂ（切欠き部）は、チェーン挿通部３３の下側のみに形成される。枠部３２の上側の一辺の幅Ｗ２は、他の辺の幅Ｗ１よりも狭く形成される。
これにより、嵌合部Ｓ１を設けつつ、枠部３２の上側の一辺の幅Ｗ２を狭く形成でき、限られた枠部３２の大きさの範囲内において、枠部３２の内側に形成される装飾空間Ｓ２を広くとることができる。
【００２３】
以上説明したように、本実施の形態によれば、中間部材３０は、第１装飾材Ａ（装飾材）、第２装飾材Ｂ（装飾材）及び第３装飾材Ｃ（装飾材）を取付可能な切欠き部３６を備え、表面部材１０と、中間部材３０と、裏面部材５０とは、切欠き部３６が前後の部材である表面部材１０及び裏面部材５０と重なる状態で固定される。
これによれば、切欠き部３６に第１装飾材Ａ、第２装飾材Ｂ及び第３装飾材Ｃなどの装飾材を付け替えることにより、装飾材の交換に柔軟に対応することができる。
【００２４】
また、本実施の形態によれば、中間部材３０は、枠部３２を備え、枠部３２は、外端３２Ａに切欠き部３６を備える。
切欠き部３６に第１装飾材Ａ、第２装飾材Ｂ、第３装飾材Ｃがはめ込まれた状態で、表面部材１０と、中間部材３０と、裏面部材５０とが固定される。すなわち、第１装飾材Ａ、第２装飾材Ｂ、第３装飾材Ｃがはめ込まれた切欠き部３６は、表面部材１０及び裏面部材５０と重なる状態で固定される。
これにより、第１装飾材Ａ、第２装飾材Ｂ、第３装飾材Ｃは、枠部３２の側方から枠部３２の外側に張り出して支持され、枠部３２の外側で第１装飾材Ａ、第２装飾材Ｂ、第３装飾材Ｃを保持できる。キーホルダー１００の大きさに制約されずに、第１装飾材Ａ、第２装飾材Ｂ、第３装飾材Ｃ（装飾材）を交換して取付可能となり、第１装飾材Ａ、第２装飾材Ｂ、第３装飾材Ｃの交換及び配置の柔軟性が向上する。
【００２５】
本実施の形態によれば、中間部材３０は、枠部３２を備え、枠部３２は、内端３２Ｂに切欠き部３６を備え、表面部材１０は、枠部３２の内側と重なる部分が透明である。
これにより、第１装飾材Ａ、第２装飾材Ｂ、第３装飾材Ｃは、枠部３２の内側に支持され、枠部３２の内側で第１装飾材Ａ、第２装飾材Ｂ、第３装飾材Ｃを保持できる。キーホルダー１００の内側に、第１装飾材Ａ、第２装飾材Ｂ、第３装飾材Ｃを交換、取付可能となり、第１装飾材Ａ、第２装飾材Ｂ、第３装飾材Ｃの交換及び配置の柔軟性が向上する。
【００２６】
本実施の形態における表面部材１０は、１枚の平板状に形成したが、必ずしもこの形状に限られるものではなく、中間部材３０の枠部３２に対応する部分があればよい。表面部材１０の透明な部分は、半透明であるなど、枠部３２の内側に取付けられる第１装飾材Ａ、第２装飾材Ｂ、第３装飾材Ｃなどの装飾材が視認できればよい。
【００２７】
表面部材１０と裏面部材５０との間に挟む中間部材３０は１枚に限定されない。中間部材は複数枚であってもよい。表面部材１０と裏面部材５０の間に第１装飾材Ａ、第２装飾材Ｂ、第３装飾材Ｃなどの装飾材を固定でき、装飾材が視認できればよい。
【００２８】
また、本実施の形態によれば、切欠き部３６は、切欠き部３６の両側の端部３４から各切欠き部３６の内側に向けて突出する爪部３７を備える。
爪部３７を備えることにより、表面部材１０と中間部材３０と裏面部材５０とを、必ずしも強固に固定しなくとも、切欠き部３６に取り付けた第１装飾材Ａ、第２装飾材Ｂ、第３装飾材Ｃが切欠き部３６から外れることを抑制できる。
【００２９】
また、本実施の形態によれば、表面部材１０、中間部材３０、裏面部材５０は、これら部材を固定する位置に重ねて配置した際に、前後方向に重なる前面下部孔１５（孔部）、中間下部孔３５（孔部）及び背面下部孔５５（孔部）に鍵部材４０をはめ込むことにより固定されている。
前面下部孔１５（孔部）、中間下部孔３５（孔部）及び背面下部孔５５（孔部）に鍵部材４０をはめ込むことにより、表面部材１０と中間部材３０と裏面部材５０とが固定され、鍵部材４０を外すことにより表面部材１０と、中間部材３０と、裏面部材５０との固定が解除される。
これによれば、固定の解除を簡易にできるため、切欠き部に装飾材を取付け又は取外しを簡易に行うことができる。
【００３０】
また、中間部材３０を複数備え、中間部材３０の少なくとも一つに、切欠き部３６が備えられていてもよい。
また、複数の中間部材３０に切欠き部３６を設けた場合には、夫々に第１装飾材Ａ、第２装飾材Ｂ、第３装飾材Ｃなどの装飾材を保持できるため、より多くの装飾材を保持でき、装飾材付け替えの柔軟性もより向上する。
【００３１】
また、枠部３２の内側には、枠部３２から延びる装飾リブを備え、この装飾リブは、切欠き部３６を備えていてもよい。
これによれば、装飾リブに備えられる切欠き部３６に第１装飾材Ａ、第２装飾材Ｂ、第３装飾材Ｃなどの装飾材がはめ込まれた状態で、表面部材１０と、中間部材３０と、裏面部材５０とが固定される。すなわち、装飾材がはめ込まれた切欠き部３６は、表面部材１０及び裏面部材５０と重なる状態で固定される。これにより、枠部３２の内側の装飾材の交換及び配置の柔軟性をより向上できる。
【００３２】
＜第２実施形態＞
図６は、第２実施形態に係る額縁（物品）２００を示している。図６において、第１実施形態と同様の構成については同一の符号を付し、その説明を省略する。
額縁２００は、絵画、書、ポスターなどの額縁として用いることができる。額縁２００の大きさは様々な大きさに対応でき、横５０ｃｍ、縦１ｍを越える場合や、さらに大型の絵画等を収容する大きさにも対応できる。
【００３３】
額縁２００は、表面部材２１０、と中間部材２３０と、裏面部材２５０と、を備える。中間部材２３０は、複数の切欠き部２３６を備える。
切欠き部２３６は、第１実施形態に係る切欠き部３６と同様の構成を備える。額縁２００は、四隅をねじ等の固定具２９０により固定される。これにより、額縁２００が大型化した場合であっても、安定して第１装飾材Ａ、第２装飾材Ｂ、第３装飾材Ｃなどの各装飾材を切欠き部２３６に保持できる。
【００３４】
＜第３実施形態＞
図７は、第３実施形態に係る鏡（物品）３００を示している。図７において、第１実施形態と同様の構成については同一の符号を付し、その説明を省略する。
鏡３００は、表面部材３１０と、中間部材３３０と、裏面部材３５０と、を備える。中間部材３３０は、複数の切欠き部３３６を備える。切欠き部３３６は、第１実施形態に係る切欠き部３６と同様の構成を備える。
中間部材３３０及び裏面部材３５０は、鏡であり、表面部材３１０は透明材料である。これにより、第１装飾材Ａ、第２装飾材Ｂ、第３装飾材Ｃなどの各装飾材を鏡３００に取り付けることができ、鏡として利用できる。
【００３５】
＜第４実施形態＞
図８は、第４実施形態に係るパスケース（物品）４００を示している。図８において、第１実施形態と同様の構成については同一の符号を付し、その説明を省略する。
パスケース４００は、例えば、定期券やチケット等を収容可能なポケット４９０を備える。パスケース４００は、ポケット４９０以外の部分に、表面部材４１０と、中間部材４３０と、裏面部材４５０と、を備える。
中間部材４３０は、複数の切欠き部４３６を備える。切欠き部４３６は、第１実施形態に係る切欠き部３６と同様の構成を備える。
この物品は、第１装飾材Ａ、第２装飾材Ｂ、第３装飾材Ｃなどの各装飾材を交換可能に取付けできるパスケースとして使用できる。
【００３６】
＜変形例＞
第１実施形態から第４実施形態において、切欠き部３６，２３６，３３６，４３６の嵌合部Ｓ１の形状は矩形である。
ただし、矩形状に限定されない。例えば、図９に示すように、円形の切欠き部５３６であってもよい。この場合、装飾材は、第４装飾材Ｄのように、円形の切欠き部５３６の形状に対応した円形の取付け部５６１を備えてもよい。また、図１０に示すように、正方形の切欠き部６３６としてもよい。この場合、装飾材は、第４装飾材Ｄのように、円形の取付け部５６１を備えてもよい。円形の取付け部５６１は、直径が正方形の切欠き部６３６の一辺の長さと略等しく形成されており、正方形の切欠き部６３６にはめ込み可能とされる。このように、装飾材の取付け部は、必ずしもすべての部分が切欠き部にはめ込まれることが必要ではない。
【００３７】
図１１に示すように、Ｚ形の切欠き部７３６としてもよい。この場合、装飾材は、第５装飾材Ｅのように、Ｚ形の切欠き部７３６の形状に対応したＺ形の取付け部７６１を備えてもよい。このようにデザイン化することにより、装飾材の取付け部及び中間部材の切欠き部においても、装飾でき、デザイン性が向上する。
さらに、図１２に示すように、Ｈ形の切欠き部８３６としてもよい。この場合には、装飾材は、第６装飾材Ｆのように、Ｈ形の切欠き部８３６の形状に対応したＨ形の取付け部８６１を備えてもよい。
【００３８】
以上、本実施の形態に基づいて本発明を説明したが、本発明はこれらの実施形態に限定されるものではない。あくまでも本発明の実施の態様を例示するものであるから、本発明の趣旨を逸脱しない範囲で任意に変更、及び応用が可能である。
【００３９】
本物品は、例えば、写真立て、アクリル製の置物、壁掛けの飾り物など、装飾材を取付けることが必要な物品などにも応用が可能である。
また、枠部３２の形態は矩形状であったが、これに限定されず、例えば、円形枠、三角形枠、菱形枠、Ｈ形、Ｉ形、Ｋ形、Ｎ形、Ｆ形、Ｌ形、Ｓ形、Ｔ形、Ｍ形など、各種形態の枠であってもよい。
【符号の説明】
【００４０】
１  第１プレート
２  第２プレート
３  第３プレート
１０、２１０、３１０、４１０  表面部材
１５  前面下部孔（孔部）
３０、２３０、３３０、４３０  中間部材
３２  枠部
３２Ａ  外端
３２Ｂ  内端
３５  中間下部孔（孔部）
３６、２３６、３３６、４３６、５３６、６３６、７３６、８３６  切欠き部
３６Ａ  外端の切欠き部
３６Ｂ  内端の切欠き部
３７  爪部
４０  鍵部材
４５  環状部材
４６  固定孔
５０、２５０、３５０、４５０  裏面部材
５５  背面下部孔（孔部）
６１、５６１、６６１、７６１、８６１  取付け部
１００、２００、３００、４００  物品
Ａ  第１装飾材（装飾材）
Ｂ  第２装飾材（装飾材）
Ｃ  第３装飾材（装飾材）
Ｄ  第４装飾材（装飾材）
Ｅ  第５装飾材（装飾材）
Ｆ  第６装飾材（装飾材）
Ｓ１  嵌合部
Ｓ２  装飾スペース
【要約】
【課題】装飾材の交換に柔軟に対応することができる物品を提供する。
【解決手段】表面部材１０と、裏面部材５０と、表面部材１０及び裏面部材５０に挟まれる中間部材３０と、を備え、中間部材３０は、第１装飾材Ａ（装飾材）、第２装飾材Ｂ（装飾材）及び第３装飾材Ｃ（装飾材）を取付可能な切欠き部３６を備え、表面部材１０と、中間部材３０と、裏面部材５０とは、切欠き部３６が前後の部材である表面部材１０及び裏面部材５０と重なる状態で固定した。
【選択図】図１【図１】
0006679015.tif 000002
【図２】
0006679015.tif 000003
【図３】
0006679015.tif 000004
【図４】
0006679015.tif 000005
【図５】
0006679015.tif 000006
【図６】
0006679015.tif 000007
【図７】
0006679015.tif 000008
【図８】
0006679015.tif 000009
【図９】
0006679015.tif 000010
【図１０】
0006679015.tif 000011
【図１１】
0006679015.tif 000012
【図１２】
0006679015.tif 000013